(57)【特許請求の範囲】
【請求項１】
撮像日時に対応づけて複数の画像を取得する画像取得部と、
アルバムにおける主要イベントの日時を示す基準時刻及び当該基準時刻の前の時刻においてアルバムにおける主要人物に関連する被写体の画像である特定被写体画像を含む特定被写体情報を、ユーザ入力により取得する特定被写体情報取得部と、
前記画像取得部が取得した複数の画像の撮像日時と、前記特定被写体情報取得部が取得した基準時刻とに基づいて、基準時刻より前の撮像日時に対応づけて前記画像取得部が取得した画像を選択する前画像選択部と、
前記前画像選択部が選択した画像と前記特定被写体情報取得部が取得した特定被写体画像とを比較することによって、前記前画像選択部が選択した画像に主要人物と関連する被写体が含まれるか否かを判断する特定被写体画像判断部と、
前記特定被写体画像判断部によって主要人物と関連する被写体が含まれる旨が判断された画像を、アルバムにおいて強調してアルバムを作成するアルバム作成部と
を備えるアルバム作成装置。
【請求項２】
前記特定被写体情報取得部は、アルバムにおける主要人物の親の画像及び主要人物の誕生日を含む特定被写体情報を取得し、
前記前画像選択部は、前記画像取得部が取得した複数の画像の撮像日時と、前記特定被写体情報取得部が取得した主要人物の誕生日とに基づいて、主要人物の誕生日より前の撮像日時に対応づけて前記画像取得部が取得した画像を選択し、
前記特定被写体画像判断部は、前記前画像選択部が選択した画像と前記特定被写体情報取得部が取得した主要人物の親の画像とを比較することによって、前記前画像選択部が選択した画像に主要人物の親が含まれるか否かを判断し、
前記アルバム作成部は、前記特定被写体画像判断部によって主要人物の親が含まれる旨が判断された画像を、アルバムにおいて強調してアルバムを作成する
を備える請求項１に記載のアルバム作成装置。
【請求項３】
前記特定被写体情報取得部は、アルバムにおける主要人物の画像をさらに取得し、
前記画像取得部が取得した複数の画像の撮像日時と、前記特定被写体情報取得部が取得した主要人物の誕生日とに基づいて、主要人物の誕生日より後の撮像日時に対応づけて前記画像取得部が取得した画像を選択する後画像選択部と、
前記後画像選択部が選択した画像と前記特定被写体情報取得部が取得した主要人物の画像とを比較することによって、前記後画像選択部が選択した画像に主要人物が含まれるか否かを判断する主要人物画像判断部と
をさらに備え、
前記アルバム作成部は、前記主要人物画像判断部によって主要人物が含まれる旨が判断された画像を、アルバムにおいて強調してアルバムを作成する
請求項２に記載のアルバム作成装置。
【請求項４】
前記アルバム作成部は、前記特定被写体画像判断部によって主要人物と関連する被写体が含まれる旨が判断された画像において、主要人物と関連する被写体の特徴部を強調したトリミング範囲を決定し、決定したトリミング範囲で当該画像をトリミングしたトリミング画像を用いてアルバムを作成する
請求項２または３に記載のアルバム作成装置。
【請求項５】
前記特定被写体情報取得部は、アルバムにおける主要人物及び主要人物の母親の画像、並びに主要人物の誕生日を含む特定被写体情報を取得し、
前記前画像選択部は、前記画像取得部が取得した複数の画像の撮像日時と、前記特定被写体情報取得部が取得した主要人物の誕生日とに基づいて、主要人物の誕生日より前の所定の期間内の撮像日時に対応づけて前記画像取得部が取得した画像を選択し、
前記特定被写体画像判断部は、前記前画像選択部が選択した画像と前記特定被写体情報取得部が取得した主要人物の母親の画像とを比較することによって、前記前画像選択部が選択した画像に主要人物の母親が含まれるか否かを判断し、
前記アルバム作成部は、前記特定被写体画像判断部によって主要人物の母親が含まれる旨が判断された画像において、主要人物の母親の腹部を強調したトリミング範囲を決定し、決定したトリミング範囲で当該画像をトリミングしたトリミング画像を用いてアルバムを作成する
請求項４に記載のアルバム作成装置。
【請求項６】
前記アルバム作成部は、前記特定被写体画像判断部によって主要人物と関連する被写体が含まれる旨が判断された画像の中から主要人物と関連する被写体の特徴部が画像の中央に位置する画像を選択し、選択した画像を用いてアルバムを作成する
請求項２または３に記載のアルバム作成装置。
【請求項７】
前記特定被写体情報取得部は、アルバムにおける主要人物及び主要人物の母親の画像、並びに主要人物の誕生日を含む特定被写体情報を取得し、
前記前画像選択部は、前記画像取得部が取得した複数の画像の撮像日時と、前記特定被写体情報取得部が取得した主要人物の誕生日とに基づいて、主要人物の誕生日より前の所定の期間内の撮像日時に対応づけて前記画像取得部が取得した画像を選択し、
前記特定被写体画像判断部は、前記前画像選択部が選択した画像と前記特定被写体情報取得部が取得した主要人物の母親の画像とを比較することによって、前記前画像選択部が選択した画像に主要人物の母親が含まれるか否かを判断し、
前記アルバム作成部は、前記特定被写体画像判断部によって主要人物の母親が含まれる旨が判断された画像の中から主要人物の母親の腹部が画像の中央に位置する画像を選択し、選択した画像を用いてアルバムを作成する
請求項６に記載のアルバム作成装置。
【請求項８】
ＲＡＭに読み出されたプログラムをＣＰＵが実行することにより、前記ＣＰＵを有するコンピュータが実行する方法であって、
前記ＣＰＵが、前記プログラムに基づいて動作して前記コンピュータが有するハードウェアを制御することにより、撮像日時に対応づけて複数の画像を取得する画像取得段階と、
前記ＣＰＵが、前記プログラムに基づいて動作して前記コンピュータが有するハードウェアを制御することにより、アルバムにおける主要イベントの日時を示す基準時刻及び当該基準時刻の前のタイミングにおいて主要人物と関連する被写体の画像である特定被写体画像を含む特定被写体情報を、ユーザ入力により取得する特定被写体情報取得段階と、
前記ＣＰＵが、前記プログラムに基づいて動作して前記コンピュータが有するハードウェアを制御することにより、前記画像取得段階において取得された複数の画像の撮像日時と、前記特定被写体情報取得段階において取得された基準時刻とに基づいて、基準時刻より前の撮像日時に対応づけて前記画像取得段階において取得された画像を選択する前画像選択段階と、
前記ＣＰＵが、前記プログラムに基づいて動作して前記コンピュータが有するハードウェアを制御することにより、前記前画像選択段階において選択された画像と前記特定被写体情報取得段階において取得された特定被写体画像とを比較することによって、前記前画像選択段階において選択された画像に主要人物と関連する被写体が含まれるか否かを判断する特定被写体画像判断段階と、
前記ＣＰＵが、前記プログラムに基づいて動作して前記コンピュータが有するハードウェアを制御することにより、前記特定被写体画像判断段階おいて主要人物と関連する被写体が含まれる旨が判断された画像を、アルバムにおいて強調してアルバムを作成するアルバム作成段階と
を備えるアルバム作成方法。
【請求項９】
アルバムを作成するアルバム作成装置用のプログラムであって、コンピュータを、
撮像日時に対応づけて複数の画像を取得する画像取得部、
アルバムにおける主要イベントの日時を示す基準時刻及び当該基準時刻の前のタイミングにおいて主要人物と関連する被写体の画像である特定被写体画像を含む特定被写体情報を、ユーザ入力により取得する特定被写体情報取得部、
前記画像取得部が取得した複数の画像の撮像日時と、前記特定被写体情報取得部が取得した基準時刻とに基づいて、基準時刻より前の撮像日時に対応づけて前記画像取得部が取得した画像を選択する前画像選択部、
前記前画像選択部が選択した画像と前記特定被写体情報取得部が取得した特定被写体画像とを比較することによって、前記前画像選択部が選択した画像に主要人物と関連する被写体が含まれるか否かを判断する特定被写体画像判断部、
前記特定被写体画像判断部によって主要人物と関連する被写体が含まれる旨が判断された画像を、アルバムにおいて強調してアルバムを作成するアルバム作成部
として機能させるプログラム。
【発明の詳細な説明】
【技術分野】
【０００１】
本発明は、アルバム作成装置、アルバム作成方法、及びプログラムに関する。特に本発明は、アルバムを作成するアルバム作成装置及びアルバム作成方法、並びに、アルバム作成装置用のプログラムに関する。
【背景技術】
【０００２】
アルバム作成を所望する顧客自身が画像をレイアウトしたレイアウトデータを受け取ってアルバムを作成するシステムが提案されている（例えば、特許文献１参照。）。特許文献１に記載の発明においては、顧客自身が画像をアルバムにレイアウトして、顧客によってレイアウトされたレイアウトデータに基づいてアルバムを作成するので、顧客の希望通りのアルバムを作成できる。また、大量の画像データから所定数の画像を効率的に抽出する画像抽出方法が提案されている（例えば、特許文献２参照。）。特許文献１に記載の発明では、各画像に対する評価値を入力して、入力された評価値に基づいて複数の画像の中から所定数の画像が抽出される。これにより、画像を抽出するときのユーザの操作性を向上させることができる。
【特許文献１】特開２００１−３３１７０４号公報
【特許文献２】特開２００４−２４６８６８号公報
【発明の開示】
【発明が解決しようとする課題】
【０００３】
しかしながら、特許文献１に記載の発明においては、顧客自身がアルバムに画像をレイアウトするので、画像を１枚ごと確認しながらレイアウトしなければならない。したがって、アルバムの作成に多大な時間と労力を要してしまう場合がある。また、アルバムを作成するアルバム作成者が顧客から画像を受け取ってアルバムを作成するシステムでは、顧客がアルバム作成者に画像に含まれる主人公および登場人物に関する情報を的確に伝えることが困難である。したがって、アルバム作成者が画像に含まれる人物に応じて相応しいデザインでアルバムを作成することが困難である場合がある。また、特許文献２に記載の発明のように各画像に対する評価値を入力する方法では、様々なイベントに対して柔軟に画像を抽出してアルバムを作成したり、アルバムにおける主要人物に基づいて柔軟に画像を抽出してアルバムを作成することが困難である。
【０００４】
そこで本発明は、上記の課題を解決することができるアルバム作成装置、アルバム作成方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態におけるアルバム作成装置は、撮像日時に対応づけて複数の画像を取得する画像取得部と、アルバムにおける主要イベントの日時を示す基準時刻を取得する基準時刻取得部と、画像取得部が取得した複数の画像の撮像日時を含む撮像期間の、基準時刻取得部が取得した基準時刻に対する期間を示す撮像時期を特定する撮像時期特定部と、撮像時期特定部が特定した撮像時期に基づいて、アルバムに挿入するタイトルを決定するタイトル決定部と、タイトル決定部が決定したタイトル及び画像取得部が取得した複数の画像をレイアウトしてアルバムを作成するアルバム作成部とを備える。
【０００６】
アルバムにおける主要人物の誕生日を含む特定被写体情報を取得する特定被写体情報取得部をさらに備え、基準時刻取得部は、特定被写体情報取得部が取得した特定被写体情報に含まれる主要人物の誕生日を、アルバムにおける主要イベントのタイミングを示す基準時刻として取得してよい。
【０００７】
アルバムに挿入するタイトルに用いる文字列を撮像時期に対応づけて格納するタイトル格納部をさらに備え、タイトル決定部は、撮像時期特定部が特定した撮像時期に対応づけてタイトル格納部が格納している文字列を用いて、アルバムに挿入するタイトルを決定してよい。
【０００８】
画像取得部が取得した複数の画像をアルバムの各ページに分類する画像分類部をさらに備え、撮像時期特定部は、画像分類部が各ページに分類した複数の画像の撮像日時を含む撮像期間の、基準時刻取得部が取得した基準時刻に対する期間を示す撮像時期を特定し、タイトル決定部は、撮像時期特定部が特定した撮像時期に基づいて、アルバムの各ページにそれぞれ挿入するタイトルを決定し、アルバム作成部は、アルバムの各ページに、タイトル決定部が決定したタイトルをそれぞれレイアウトしてアルバムを作成してよい。
【０００９】
画像が配置されるべき画像配置枠を有するテンプレートを格納するテンプレート格納部と、アルバムのテンプレートに用いる複数の色を含むカラーパレットを撮像時期に対応づけて格納するカラーパレット格納部と、撮像時期特定部が特定した撮像時期に対応づけてカラーパレット格納部が格納しているカラーパレットを選択するカラーパレット選択部とをさらに備え、アルバム作成部は、カラーパレット選択部が選択したカラーパレットに含まれる複数の色を用いてアルバムのテンプレートに配色してよい。
【００１０】
アルバムにおける主要人物の画像を含む特定被写体情報を取得する特定被写体情報取得部と、画像取得部が取得した複数の画像と特定被写体情報取得部が取得した主要人物の画像とを比較することによって、画像取得部が取得した複数の画像に主要人物が含まれるか否かを判断する主要人物画像判断部と、主要人物画像判断部によって主要人物が含まれる旨が判断された画像に含まれる複数の色から、特徴的な色である特徴色を抽出する特徴色抽出部と、カラーパレット格納部が格納しているカラーパレットに含まれる色を、色の範囲を示す色範囲に対応づけて格納する適用色格納部と、特徴色抽出部が抽出した特徴色の色を含む色範囲に対応づけて適用色格納部が格納している色を選択する使用色選択部とをさらに備え、アルバム作成部は、使用色選択部が選択した色を用いてタイトル決定部が決定したタイトルに配色してよい。
【００１１】
本発明の第２の形態におけるアルバム作成方法は、撮像日時に対応づけて複数の画像を取得する画像取得段階と、アルバムにおける主要イベントの日時を示す基準時刻を取得する基準時刻取得段階と、画像取得段階において取得された複数の画像の撮像日時を含む撮像期間の、基準時刻取得段階において取得された基準時刻に対する期間を示す撮像時期を特定する撮像時期特定段階と、撮像時期特定段階において特定された撮像時期に基づいて、アルバムに挿入するタイトルを決定するタイトル決定段階と、タイトル決定段階において決定されたタイトル及び画像格納段階において格納されている複数の画像をレイアウトしてアルバムを作成するアルバム作成段階とを備える。
【００１２】
本発明の第３の形態によると、アルバムを作成するアルバム作成装置用のプログラムであって、アルバム作成装置を、撮像日時に対応づけて複数の画像を取得する画像取得部、アルバムにおける主要イベントの日時を示す基準時刻を取得する基準時刻取得部、画像取得部が取得した複数の画像の撮像日時を含む撮像期間の、基準時刻取得部が取得した基準時刻に対する期間を示す撮像時期を特定する撮像時期特定部、撮像時期特定部が特定した撮像時期に基づいて、アルバムに挿入するタイトルを決定するタイトル決定部、タイトル決定部が決定したタイトル及び画像取得部が取得した複数の画像をレイアウトしてアルバムを作成するアルバム作成部として機能させる。
【００１３】
本発明の第４の形態におけるアルバム作成装置は、撮像日時に対応づけて複数の画像を取得する画像取得部と、アルバムにおける主要イベントの日時を示す基準時刻及び当該基準時刻の前の時刻においてアルバムにおける主要人物に関連する被写体の画像である特定被写体画像を含む特定被写体情報を取得する特定被写体情報取得部と、画像取得部が取得した複数の画像の撮像日時と、特定被写体情報取得部が取得した基準時刻とに基づいて、基準時刻より前の撮像日時に対応づけて画像取得部が取得した画像を選択する前画像選択部と、前画像選択部が選択した画像と特定被写体情報取得部が取得した特定被写体画像とを比較することによって、前画像選択部が選択した画像に主要人物と関連する被写体が含まれるか否かを判断する特定被写体画像判断部と、特定被写体画像判断部によって主要人物と関連する被写体が含まれる旨が判断された画像を、アルバムにおいて強調してアルバムを作成するアルバム作成部とを備える。
【００１４】
特定被写体情報取得部は、アルバムにおける主要イベントの日時を示す基準時刻及び当該基準時刻の後の時刻においてアルバムにおける主要人物に関連する被写体の画像である特定被写体画像を含む特定被写体情報を取得し、アルバム作成装置は、画像取得部が取得した複数の画像の撮像日時と、特定被写体情報取得部が取得した基準時刻とに基づいて、基準時刻より後の撮像日時に対応づけて画像取得部が取得した画像を選択する後画像選択部をさらに備え、特定被写体画像判断部は、後画像選択部が選択した画像と特定被写体情報取得部が取得した特定被写体画像とを比較することによって、前画像選択部が選択した画像に主要人物と関連する被写体が含まれるか否かを判断し、アルバム作成部は、特定被写体画像判断部によって主要人物と関連する被写体が含まれる旨が判断された画像を、アルバムにおいて強調してアルバムを作成してよい。
【００１５】
特定被写体情報取得部は、アルバムにおける主要人物の親の画像及び主要人物の誕生日を含む特定被写体情報を取得し、前画像選択部は、画像取得部が取得した複数の画像の撮像日時と、特定被写体情報取得部が取得した主要人物の誕生日とに基づいて、主要人物の誕生日より前の撮像日時に対応づけて画像取得部が取得した画像を選択し、特定被写体画像判断部は、前画像選択部が選択した画像と特定被写体情報取得部が取得した主要人物の親の画像とを比較することによって、前画像選択部が選択した画像に主要人物の親が含まれるか否かを判断し、アルバム作成部は、特定被写体画像判断部によって主要人物の親が含まれる旨が判断された画像を、アルバムにおいて強調してアルバムを作成してよい。
【００１６】
特定被写体情報取得部は、アルバムにおける主要人物の画像をさらに取得し、画像取得部が取得した複数の画像の撮像日時と、特定被写体情報取得部が取得した主要人物の誕生日とに基づいて、主要人物の誕生日より後の撮像日時に対応づけて画像取得部が取得した画像を選択する後画像選択部と、後画像選択部が選択した画像と特定被写体情報取得部が取得した主要人物の画像とを比較することによって、後画像選択部が選択した画像に主要人物が含まれるか否かを判断する主要人物画像判断部とをさらに備え、アルバム作成部は、主要人物画像判断部によって主要人物が含まれる旨が判断された画像を、アルバムにおいて強調して作成してよい。
【００１７】
アルバム作成部は、特定被写体画像判断部によって主要人物と関連する被写体が含まれる旨が判断された画像において、主要人物と関連する被写体の特徴部を強調したトリミング範囲を決定し、決定したトリミング範囲で当該画像をトリミングしたトリミング画像を用いてアルバムを作成してよい。
【００１８】
特定被写体情報取得部は、アルバムにおける主要人物及び主要人物の母親の画像及び主要人物の誕生日を含む特定被写体情報を取得し、前画像選択部は、画像取得部が取得した複数の画像の撮像日時と、特定被写体情報取得部が取得した主要人物の誕生日とに基づいて、主要人物の誕生日より前の所定の期間内の撮像日時に対応づけて画像取得部が取得した画像を選択し、特定被写体画像判断部は、前画像選択部が選択した画像と特定被写体情報取得部が取得した主要人物の母親の画像とを比較することによって、前画像選択部が選択した画像に主要人物の母親が含まれるか否かを判断し、アルバム作成部は、特定被写体画像判断部によって主要人物の母親が含まれる旨が判断された画像において、主要人物の母親の腹部を強調したトリミング範囲を決定し、決定したトリミング範囲で当該画像をトリミングしたトリミング画像を用いてアルバムを作成してよい。
【００１９】
アルバム作成部は、特定被写体画像判断部によって主要人物と関連する被写体が含まれる旨が判断された画像の中から主要人物と関連する被写体の特徴部が画像の中央に位置する画像を選択し、選択した画像を用いてアルバムを作成してよい。
【００２０】
特定被写体情報取得部は、アルバムにおける主要人物及び主要人物の母親の画像、並びに主要人物の誕生日を含む特定被写体情報を取得し、前画像選択部は、画像取得部が取得した複数の画像の撮像日時と、特定被写体情報取得部が取得した主要人物の誕生日とに基づいて、主要人物の誕生日より前の所定の期間内の撮像日時に対応づけて画像取得部が取得した画像を選択し、特定被写体画像判断部は、前画像選択部が選択した画像と特定被写体情報取得部が取得した主要人物の母親の画像とを比較することによって、前画像選択部が選択した画像に主要人物の母親が含まれるか否かを判断し、アルバム作成部は、特定被写体画像判断部によって主要人物の母親が含まれる旨が判断された画像の中から主要人物の母親の腹部が画像の中央に位置する画像を選択し、選択した画像を用いてアルバムを作成してよい。
【００２１】
本発明の第５の形態におけるアルバム作成方法は、撮像日時に対応づけて複数の画像を取得する画像取得段階と、アルバムにおける主要イベントの日時を示す基準時刻及び当該基準時刻の前のタイミングにおいて主要人物と関連する被写体の画像である特定被写体画像を含む特定被写体情報を取得する特定被写体情報取得段階と、画像取得段階において取得された複数の画像の撮像日時と、特定被写体情報取得段階において取得された基準時刻とに基づいて、基準時刻より前の撮像日時に対応づけて画像取得段階において取得された画像を選択する前画像選択段階と、前画像選択段階において選択された画像と特定被写体情報取得段階において取得された特定被写体画像とを比較することによって、前画像選択段階において選択された画像に主要人物と関連する被写体が含まれるか否かを判断する特定被写体画像判断段階と、特定被写体画像判断段階おいて主要人物と関連する被写体が含まれる旨が判断された画像を、アルバムにおいて強調してアルバムを作成するアルバム作成段階とを備える。
【００２２】
本発明の第６の形態によると、アルバムを作成するアルバム作成装置用のプログラムであって、アルバム作成装置を、撮像日時に対応づけて複数の画像を取得する画像取得部、  アルバムにおける主要イベントの日時を示す基準時刻及び当該基準時刻の前のタイミングにおいて主要人物と関連する被写体の画像である特定被写体画像を含む特定被写体情報を取得する特定被写体情報取得部、画像取得部が取得した複数の画像の撮像日時と、特定被写体情報取得部が取得した基準時刻とに基づいて、基準時刻より前の撮像日時に対応づけて画像取得部が取得した画像を選択する前画像選択部、前画像選択部が選択した画像と特定被写体情報取得部が取得した特定被写体画像とを比較することによって、前画像選択部が選択した画像に主要人物と関連する被写体が含まれるか否かを判断する特定被写体画像判断部、特定被写体画像判断部によって主要人物と関連する被写体が含まれる旨が判断された画像を、アルバムにおいて強調してアルバムを作成するアルバム作成部として機能させる。
【００２３】
なお上記の発明の概要は、本発明の必要な特徴の全てを列挙したものではなく、これらの特徴群のサブコンビネーションもまた発明となりうる。
【発明の効果】
【００２４】
本発明によれば、アルバムに収められる画像が撮像された撮像時期に相応しいタイトルをアルバムに挿入することができる。
【発明を実施するための最良の形態】
【００２５】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００２６】
図１は、本発明の一実施形態に係るアルバム作成装置１００の利用環境の一例を示す。アルバム提供システム１３０は、アルバム作成装置１００、通信回線１５０、及び撮像装置１４０、及び顧客ＤＢ１７０を備える。アルバム作成装置１００は、ユーザ１９０が撮像装置１４０を用いて撮像した画像を受け取って、ユーザ１９０に提供されるアルバム１８０を作成する機能を提供する。アルバム作成装置１００は、画像入力装置１１０及びアルバム製作装置１２０を備える。なお、アルバム１８０とは、複数の画像が印刷された写真集等の冊子であってよいし、複数の画像がＣＤ−ＲＯＭ、ＤＶＤ、ハードディスク等の電子媒体に電子的に記録された電子アルバム等であってよい。
【００２７】
撮像装置１４０は、ユーザ１９０の指示によって画像を撮像した場合に、当該画像を撮像した撮像時刻を取得する。そして、撮像装置１４０は、取得した撮像時刻をタグ情報として撮像した画像に付帯させて、半導体メモリ等の記録媒体１６０に記録する。そして、画像入力装置１１０は、撮像装置１４０が撮像した画像を記録媒体１６０から取得する。このとき、画像入力装置１１０は、アルバムにおける主要人物、主要人物の親等、アルバムに登場させる人物の画像を、画像上における各人物の位置をユーザ１９０に指定させることによって取得する。また、画像入力装置１１０は、主要人物の誕生日を入力させる。なお、画像入力装置１１０は、インターネット、ＬＡＮ等の通信回線１５０を介して、アルバムに使用する画像、人物の画像、及び主要人物の誕生日を取得してもよい。
【００２８】
そして、アルバム製作装置１２０は、アルバムに使用する画像、人物の画像、及び主要人物の誕生日を、通信回線１５０を介して画像入力装置１１０から取得する。そして、アルバム製作装置１２０は、受け取った画像をアルバムの各ページにレイアウトして、プリンタ、ディスプレイ等からアルバム１８０として出力させる。このとき、アルバム製作装置１２０は、画像が撮像されたときの主要人物の年齢を特定することによって、アルバム１８０に使用する画像が撮像された期間にわたる主要人物の年齢幅を特定する。そして、アルバム製作装置１２０は、特定した年齢幅に応じたレイアウトのアルバム１８０を作成する。
【００２９】
例えば、アルバム製作装置１２０は、年齢幅に応じたタイトルをアルバム１８０に付与する。例えば、アルバム製作装置１２０は、年齢幅が−１歳（誕生日の１年前）から１歳までの範囲内である場合、アルバム１８０に「Ｂｌｏｏｍ」というタイトルを付与する。なお、アルバム製作装置１２０は、主として撮像時刻の順で各ページに画像を割り当ててレイアウトする。そして、アルバム製作装置１２０は、各ページに収められる画像が撮像された期間にわたる年齢幅に応じて、アルバム１８０の各ページのタイトルを決定してもよい。他にも、アルバム製作装置１２０は、年齢幅に応じて画像を加工してよい。例えば、−１歳（誕生日の１年前）から１歳までの範囲内である場合、アルバム製作装置１２０はピンク色等のかわいらしい色を用いてアルバム１８０に配色する。また、アルバム製作装置１２０は、主要人物が誕生した後の画像から主要人物をクローズアップしてトリミングした画像を用いてアルバム１８０を作成する。また、アルバム製作装置１２０は、主要人物が誕生する前の画像から主要人物の親をクローズアップしてトリミングした画像を用いてアルバム１８０を作成する。また、アルバム製作装置１２０は、主要人物が誕生する前の画像から主要人物の母親の腹部をクローズアップしてトリミングした画像をアルバム１８０にレイアウトする。これにより、アルバム製作装置１２０は、主要人物の年齢幅に相応しいレイアウトのアルバム１８０を作成することができる。
【００３０】
なお、画像入力装置１１０は、プリントショップ、家電量販店等の種々の店舗１５２、駅、街角等に設けられたキオスク端末であってよい。また、アルバム製作装置１２０は、例えばアルバムの製作工場１５４などに設けられる。アルバム製作装置１２０は、複数の画像を含む印刷されたアルバム１８０を作成する装置であってよいし、複数の画像をアルバム形式で閲覧させるべく記録された電子媒体を作成する装置であってよい。また、アルバム製作装置１２０は、印刷されたアルバム１８０を作成するためのアルバムデータ、電子的に記録されるアルバムを作成するためのアルバムデータを生成する装置であってもよい。なお、アルバム製作装置１２０は、複数の画像を同時に画面に表示する装置であってもよい。例えばアルバム作成装置１００は、パーソナルコンピュータ、電子アルバム装置、ＨＤＴＶ等であってよい。また、本利用環境では、画像入力装置１１０及びアルバム製作装置１２０によってアルバム作成装置１００として機能する例について説明したが、画像入力装置１１０の機能及びアルバム製作装置１２０の機能を有する一の装置がアルバム作成装置１００として機能してよいことは言うまでもない。
【００３１】
なお、アルバム提供システム１３０においては、ユーザ１９０は、アルバム１８０を他の複数のユーザ１９５に紹介することができる。例えば、アルバム製作装置１２０は、アルバム１８０に、アルバム１８０を識別するアルバム識別番号を記録してユーザ１９０に提供する。このようなアルバム識別番号は、当該アルバムの注文者であるユーザ１９０を識別するユーザ識別番号に対応づけて顧客ＤＢ１７０に記録される。アルバム提供システム１３０は、撮像装置１４０で撮像した画像及び当該撮像からアルバム製作装置１２０が作成したアルバム１８０を、他のユーザ１９５に閲覧させる。例えば、アルバム提供システム１３０は、当該画像及びアルバム１８０を、通信回線１５０を介して他のユーザ１９５に閲覧させてよいし、撮像装置１４０で撮像した画像及び当該撮像から作成されたアルバム１８０を他のユーザ１９５の居場所までユーザ１９０が持参してユーザ１９５に閲覧させてもよい。また、アルバム提供システム１３０では、画像及び当該画像から作成されたアルバム１８０が他のユーザ１９５が閲覧可能な形でフォトショップの店頭に陳列されていてもよい。
【００３２】
そして、ユーザ１９０は、撮像装置１４０によって撮像した画像からアルバム１８０を注文するまでの注文プロセスを、他のユーザ１９５に具体的に説明する。なお、アルバム製作装置１２０は、アルバム１８０をユーザ１９０に提供する場合に、アルバム１８０を作成する場合に使用した画像、アルバム１８０、及びアルバム提供システム１３０を利用した注文方法を説明する案内プログラムが記録された記録媒体（例えばＣＤ−ＲＯＭ、ＤＶＤ−ＲＯＭ等）をユーザ１９０に提供してもよい。ユーザ１９０は、当該記録媒体をユーザ１９５に渡すことによって、アルバム提供システム１３０を利用したアルバムの注文方法をユーザ１９５に容易に紹介することができる。なお、当該案内プログラムは、アルバム１８０を作成する場合に使用された画像を用いて、注文からアルバム１８０の受け取りまでのアルバム１８０が作成されるまでの様子を説明するようプログラムされていることが望ましい。
【００３３】
以上説明したアルバム提供システム１３０によれば、ユーザ１９５は、ユーザ１９５にとって身近なユーザ１９０が注文したアルバム１８０を閲覧することによって、実際に使用された画像から実際に作成されたアルバム１８０の仕上がり具合を具体的にイメージすることができる。このとき、画像の撮像技術が未熟なユーザ１９０が撮像した画像が、アルバム１８０においてより見栄えの良い形で仕上げられていれば、ユーザ１９５がアルバムを注文しようとする意欲がより刺激される。したがって、アルバム提供システム１３０によると、アルバム提供システム１３０を利用してアルバムを注文するのに躊躇しているユーザ１９５の気持ちを効果的に後押しすることができる。
【００３４】
なお、画像入力装置１１０は、ユーザ１９５がアルバムを注文する場合には、ユーザ１９５が閲覧したアルバム１８０に記録されたアルバム識別番号をユーザ１９５に入力させる。例えば、ユーザ１９５がアルバムを注文する場合に記入する注文票に、閲覧したアルバム１８０のアルバム識別番号をユーザ１９５に入力させる紹介アルバム入力欄が設けられている。アルバム提供システム１３０では、アルバム１８０のアルバム識別番号をユーザ１９５に入力させてアルバムの作成を注文させる。このとき、アルバム提供システム１３０は、紹介アルバム入力欄に入力されたアルバム識別情報に対応づけて顧客ＤＢ１７０が格納しているユーザ識別情報を取得して、取得したユーザ識別情報によって識別されるユーザに対してインセンティブを付与する。これにより、ユーザ１９０は、アルバム提供システム１３０を利用したアルバムの注文方法をユーザ１９５に紹介しようとする意欲が増す。また、アルバム提供システム１３０は、紹介アルバム入力欄にアルバム識別情報を記入したユーザ１９５に対して、ユーザ１９５が支払うべきアルバムの作成料金を割り引く等、様々なサービスを付与してよい。
【００３５】
なお、アルバム製作装置１２０は、アルバム１８０を作成する場合に、アルバム１８０を作成したときのデザイン情報を、アルバム１８０を識別するアルバム識別情報に対応づけて顧客ＤＢ１７０に格納させる。そして、アルバム製作装置１２０は、ユーザ１９５から提供された画像を用いてアルバムを作成する場合に、紹介アルバム入力欄に入力されたアルバム識別情報に対応づけて顧客ＤＢ１７０が格納しているデザイン情報を取得する。そして、アルバム製作装置１２０は、取得したデザイン情報が示すデザインで、ユーザ１９５から提供された画像をデザインすることによってアルバムを作成して、ユーザ１９５に提供する。このため、アルバム提供システム１３０は、ユーザ１９０がユーザ１９５に閲覧させたアルバム１８０と同様のデザインのアルバムをユーザ１９５に提供することができる。したがって、ユーザ１９５は、受け取ったアルバムの仕上がりが、ユーザ１９０から紹介を受けたときのアルバム１８０のイメージと食い違ってしまうことを未然に防ぐことができる。なお、デザイン情報とは、アルバム１８０の全体的なテーマを示すテーマ情報であってよく、その他、画像のレイアウトを示すレイアウト情報、アルバム１８０の配色に使用したカラーパレット等の配色情報であってもよい。
【００３６】
以上説明したアルバム提供システム１３０によれば、主要人物に応じた適切なタイトル、適切に画像処理された画像を用いて作成されたアルバムを、ユーザ１９０に提供することができる。また、アルバム提供システム１３０では、アルバム提供システム１３０を利用してアルバムを注文した経験のあるユーザ１９０に、アルバム注文方法の説明をアルバムを注文したことのないユーザ１９５に対して説明させることによって、アルバムを注文しようとするユーザ１９５の意欲を効果的に掻き立てることができる。
【００３７】
図２は、アルバム作成装置１００のブロック構成の一例を示す。画像入力装置１１０は、特定被写体情報取得部２００及び画像取得部２０２を有する。また、アルバム製作装置１２０は、特定被写体情報取得部２００、画像格納部２１０、基準時刻取得部２２０、撮像時期特定部２２２、カラーパレット選択部２３０、カラーパレット格納部２３２、使用色選択部２３４、適用色格納部２３６、特徴色抽出部２３８、前画像選択部２４０、特定被写体画像判断部２４２、後画像選択部２５０、画像分類部２６０、タイトル決定部２７０、タイトル格納部２７２、テンプレート格納部２８０、及びアルバム作成部２９０を有する。
【００３８】
画像取得部２０２は、撮像時刻に対応づけて複数の画像を取得する。例えば、画像取得部２１０は、デジタルカメラ等の撮像装置１４０が撮像した、撮像時刻がタグ情報として付帯された画像を取得する。なお、撮像時刻とは、画像が撮像された年、月、日及び時刻を含む。つまり、本実施形態における撮像時刻とは、撮像日時であってよい。そして、画像格納部２１０は、画像取得部２０２が取得した複数の画像を、画像取得部２０２がそれぞれに対応づけて取得した撮像時刻に対応づけて格納する。
【００３９】
特定被写体情報取得部２００は、アルバムにおける主要人物の画像を含む特定被写体情報を取得する。また、特定被写体情報取得部２００は、アルバムにおける主要イベントの日時を示す基準時刻及び当該基準時刻の前の時刻においてアルバムにおける主要人物に関連する被写体の画像である特定被写体画像を含む特定被写体情報を取得する。具体的には、特定被写体情報取得部２００は、アルバムにおける主要人物の誕生日を含む特定被写体情報を取得する。また、特定被写体情報取得部２００は、アルバムにおける主要人物の親の画像、並びに主要人物の誕生日を含む特定被写体情報を取得する。特定被写体情報取得部２００は、アルバムにおける主要人物及び主要人物の母親の画像、並びに主要人物の誕生日を含む特定被写体情報を取得する。
【００４０】
基準時刻取得部２２０は、アルバムにおける主要イベントの日時を示す基準時刻を取得する。具体的には、基準時刻取得部２２０は、特定被写体情報取得部２００が取得した特定被写体情報に含まれる主要人物の誕生日を、アルバムにおける主要イベントのタイミングを示す基準時刻として取得する。
【００４１】
撮像時期特定部２２２は、画像格納部２１０が格納している複数の画像の撮像時刻を含む撮像期間の、基準時刻取得部２２０が取得した基準時刻に対する期間を示す撮像時期を特定する。例えば、撮像時期特定部２２２は、画像格納部２１０が格納している複数の画像のそれぞれが撮像された撮像時刻における主要人物の年齢を特定して、特定した年齢の幅を、主要人物の誕生日に対する期間を示す撮像時期として特定する。そして、タイトル決定部２７０は、撮像時期特定部２２２が特定した撮像時期に基づいて、アルバムに挿入するタイトルを決定する。そして、アルバム作成部２９０は、タイトル決定部２７０が決定したタイトル及び画像格納部２１０が格納している複数の画像をレイアウトしてアルバムを作成する。
【００４２】
タイトル格納部２７２は、アルバムに挿入するタイトルに用いる文字列を撮像時期に対応づけて格納する。例えば、タイトル格納部２７２は、２歳から５歳までの年齢の幅に対して「Ｈｅｙ！」、６歳から９歳までの年齢の幅に対して「Ｖｉｖｉｄ」等の文字列を格納する。そして、タイトル決定部２７０は、撮像時期特定部２２２が特定した撮像時期に対応づけてタイトル格納部２７２が格納している文字列を用いて、アルバムに挿入するタイトルを決定する。このため、アルバム作成装置１００は、主要人物の年齢に応じた望ましいタイトルをアルバムに付与することができる。
【００４３】
また、画像分類部２６０は、画像格納部２１０が格納している複数の画像をアルバムの各ページに分類する。そして、撮像時期特定部２２２は、画像分類部２６０が各ページに分類した複数の画像の撮像時刻を含む撮像期間の、基準時刻取得部２２０が取得した基準時刻に対する期間を示す撮像時期を特定する。そして、タイトル決定部２７０は、撮像時期特定部２２２が特定した撮像時期に基づいて、アルバムの各ページにそれぞれ挿入するタイトルを決定する。そして、アルバム作成部２９０は、アルバムの各ページに、タイトル決定部２７０が決定したタイトルをそれぞれレイアウトしてアルバムを作成する。このため、アルバム作成装置１００は、各ページに含まれる画像が撮像された撮像時期に応じてページ毎のタイトルを適切に決定することができる。
【００４４】
テンプレート格納部２８０は、画像が配置されるべき画像配置枠を有するテンプレートを格納する。そして、カラーパレット格納部２３２は、アルバムのテンプレートに用いる複数の色を含むカラーパレットを撮像時期に対応づけて格納する。例えば、カラーパレット格納部２３２は、０歳から５歳までの年齢の幅に対して、５０歳以上の年齢の幅に対して格納するカラーパレットに含まれる色より明度及び彩度の高い色を含むカラーパレットを格納する。そして、カラーパレット選択部２３０は、撮像時期特定部２２２が特定した撮像時期に対応づけてカラーパレット格納部２３２が格納しているカラーパレットを選択する。そして、アルバム作成部２９０は、カラーパレット選択部２３０が選択したカラーパレットに含まれる複数の色を用いてアルバムのテンプレートに配色する。例えば、アルバム作成部２９０は、カラーパレット選択部２３０が選択したカラーパレットに含まれる色を用いて、アルバムのタイトル、各ページの背景、画像配置枠等に配色する。このため、アルバム作成装置１００は、主要被写体の年齢に応じた適切な配色のアルバムを作成することができる。
【００４５】
なお、適用色格納部２３６は、カラーパレット格納部２３２が格納しているカラーパレットに含まれる色を、色の範囲を示す色範囲に対応づけて格納する。例えば、適用色格納部２３６は、カラーパレットに含まれる色を、当該色との色差の大きさに対応づけて格納する。具体的には、適用色格納部２３６は、カラーパレットに含まれる色を、当該色を含む色領域に対応づけて格納する。そして、特定被写体画像判断部２４２は、画像格納部２１０が格納している複数の画像と特定被写体情報取得部２００が取得した主要人物の画像とを比較することによって、画像格納部２１０が格納している複数の画像に主要人物が含まれるか否かを判断する。そして、特徴色抽出部２３８は、特定被写体画像判断部２４２によって主要人物が含まれる旨が判断された画像に含まれる複数の色から、特徴的な色である特徴色を抽出する。そして、使用色選択部２３４は、特徴色抽出部２３８が抽出した特徴色の色を含む色範囲に対応づけて適用色格納部２３６が格納している色を選択する。そして、アルバム作成部２９０は、使用色選択部２３４が選択した色を用いてタイトル決定部２７０が決定したタイトルに配色する。このため、アルバム作成装置１００は、主要人物を含む画像における特徴色を含む色領域内にある、カラーパレットが含む色を選択して配色することができる。したがって、アルバム作成装置１００は、主要人物の特徴色に近く、かつカラーパレットに含まれる色を用いて配色するので、全体として調和のとれた配色のアルバムを作成することができる。
【００４６】
なお、前画像選択部２４０は、画像格納部２１０が格納している複数の画像の撮像時刻と、特定被写体情報取得部２００が取得した基準時刻とに基づいて、基準時刻より前の撮像時刻に対応づけて画像格納部２１０が格納している画像を選択する。具体的には、前画像選択部２４０は、画像格納部２１０が格納している複数の画像の撮像時刻と、特定被写体情報取得部２００が取得した主要人物の誕生日とに基づいて、主要人物の誕生日より前の撮像時刻に対応づけて画像格納部２１０が格納している画像を選択する。そして、特定被写体画像判断部２４２は、前画像選択部２４０が選択した画像と特定被写体情報取得部２００が取得した特定被写体画像とを比較することによって、前画像選択部２４０が選択した画像に主要人物と関連する被写体が含まれるか否かを判断する。具体的には、特定被写体画像判断部２４２は、前画像選択部２４０が選択した画像と特定被写体情報取得部２００が取得した主要人物の親の画像とを比較することによって、前画像選択部２４０が選択した画像に主要人物の親が含まれるか否かを判断する。そして、アルバム作成部２９０は、特定被写体画像判断部２４２によって主要人物と関連する被写体が含まれる旨が判断された画像を、アルバムにおいて強調してアルバムを作成する。具体的には、アルバム作成部２９０は、特定被写体画像判断部２４２によって主要人物の親が含まれる旨が判断された画像を、アルバムにおいて強調してアルバムを作成する。このため、アルバム作成装置１００は、主要人物が誕生する前に撮像された画像ばかりのページにおいては、主要人物の親を中心としてレイアウトされたアルバムを作成することができる。
【００４７】
そして、後画像選択部２５０は、画像格納部２１０が格納している複数の画像の撮像時刻と、特定被写体情報取得部２００が取得した基準時刻とに基づいて、基準時刻より後の撮像時刻に対応づけて画像格納部２１０が格納している画像を選択する。具体的には、後画像選択部２５０は、画像格納部２１０が格納している複数の画像の撮像時刻と、特定被写体情報取得部２００が取得した主要人物の誕生日とに基づいて、主要人物の誕生日より後の撮像時刻に対応づけて画像格納部２１０が格納している画像を選択する。そして、特定被写体画像判断部２４２は、後画像選択部２５０が選択した画像と特定被写体情報取得部２００が取得した特定被写体画像とを比較することによって、前画像選択部２４０が選択した画像に主要人物と関連する被写体が含まれるか否かを判断する。具体的には、特定被写体画像判断部２４２は、後画像選択部２５０が選択した画像と特定被写体情報取得部２００が取得した主要人物の画像とを比較することによって、後画像選択部２５０が選択した画像に主要人物が含まれるか否かを判断する。そして、アルバム作成部２９０は、特定被写体画像判断部２４２によって主要人物と関連する被写体が含まれる旨が判断された画像を、アルバムにおいて強調してアルバムを作成する。具体的には、アルバム作成部２９０は、特定被写体画像判断部２４２によって主要人物が含まれる旨が判断された画像を、アルバムにおいて強調してアルバムを作成する。このため、アルバム作成装置１００は、主要人物が誕生した後に撮像された画像を含むページに、主要人物を含む画像が含まれる場合には、主要人物を中心としてレイアウトされたアルバムを作成することができる。
【００４８】
また、前画像選択部２４０は、画像格納部２１０が格納する複数の画像の撮像時刻と、特定被写体情報取得部２００が取得した主要人物の誕生日とに基づいて、主要人物の誕生日より前の所定の期間内の撮像時刻に対応づけて画像格納部２１０が格納している画像を選択する。例えば、前画像選択部２４０は、主要人物の誕生日の５ヶ月前から誕生日までの期間内の撮像時刻に対応づけて画像格納部２１０が格納している画像を選択する。そして、特定被写体画像判断部２４２は、前画像選択部２４０が選択した画像と特定被写体情報取得部２００が取得した主要人物の母親の画像とを比較することによって、前画像選択部２４０が選択した画像に主要人物の母親が含まれるか否かを判断する。そして、アルバム作成部２９０は、特定被写体画像判断部２４２によって主要人物の母親が含まれる旨が判断された画像において、主要人物の母親の腹部を強調したトリミング範囲を決定し、決定したトリミング範囲で当該画像をトリミングしたトリミング画像を用いてアルバムを作成する。このように、  アルバム作成部２９０は、特定被写体画像判断部２４２によって主要人物と関連する被写体が含まれる旨が判断された画像において、主要人物と関連する被写体の特徴部を強調したトリミング範囲を決定し、決定したトリミング範囲で当該画像をトリミングしたトリミング画像を用いてアルバムを作成する。また、アルバム作成部２９０は、特定被写体画像判断部２４２によって主要人物の母親が含まれる旨が判断された画像の中から主要人物の母親の腹部が画像の中央に位置する画像を選択し、選択した画像を用いてアルバムを作成してよい。このように、アルバム作成部は、特定被写体画像判断部によって主要人物と関連する被写体が含まれる旨が判断された画像の中から主要人物と関連する被写体の特徴部が画像の中央に位置する画像を選択し、選択した画像を用いてアルバムを作成してよい。このため、アルバム作成装置１００は、主要人物が母親のお腹の中にいると判断される時期に撮像された母親を含む画像を用いて、母親の腹部を中心にレイアウトされたアルバムを作成することができる。以上説明したように、アルバム作成部２９０は、主要人物と関連する被写体における特徴部が強調されたトリミング画像、又は当該特徴部が強調された画像を用いてアルバムを作成する。なお、アルバム作成部２９０は、関連する人物と主要人物との間の関連性に対応づけて、主要人物と関連する被写体において強調すべき特徴部を予め格納している。より具体的には、アルバム作成部２９０は、主要人物の母親を示す関連性に対応づけて、特徴部として腹部を格納している。また、特定被写体情報取得部２００は、関連する被写体と主要人物との間の関連性をさらに取得してよい。そして、アルバム作成部２９０は、特定被写体情報取得部２００が取得した関連性に対応づけて予め格納している特徴部に合致する領域を抽出し、抽出した領域が強調してトリミングされたトリミング画像、又は当該領域が強調された画像を用いてアルバムを作成してよい。
【００４９】
以上説明したアルバム作成装置１００によれば、主要人物の年齢に応じた望ましいタイトルが使用された、望ましいレイアウトのアルバムを作成することができる。
【００５０】
図３は、テンプレート格納部２８０が格納しているテンプレートの一例を示す。テンプレート３０１はアルバムの裏表紙及び表紙のテンプレートの一例を示し、テンプレート３０２〜３０５は見開きページのテンプレートの一例を示す。テンプレートが示すそれぞれの画像配置枠（例えば、３１１、３１２等）には、画像配置枠にはめ込まれる画像に含まれるべき人物の、アルバムにおけるキャスティングを示す情報が定められている。
【００５１】
なお、人物のキャスティングを示す情報は、特定被写体情報取得部２００が取得する特定被写体情報に含まれる。具体的には、特定被写体情報は、アルバムにおける人物のキャスティングを示すＣａｓｔｉｎｇフィールドを含んでいる。Ｃａｓｔｉｎｇフィールドには、例えば主要人物、主要人物の父親、主要人物の母親、及び主要人物の友人をそれぞれ示す「Ｈｅｒｏ」、「Ｆａｔｈｅｒ」、「Ｍｏｔｈｅｒ」、「Ｆｒｉｅｎｄ」等が定められる。特定被写体情報には人物の画像を示す情報が含まれている。特定被写体情報によって人物の画像とキャスティング情報とが結びつけられる。そして、アルバム作成部２９０は、画像配置枠に定められたキャスティング情報が示す人物を含む画像を、当該画像配置枠にはめ込む。なお、特定被写体情報については、図４及び５において詳細に説明する。
【００５２】
具体的には、テンプレート３０１が示す画像配置枠３１１及び３１２には、ＣａｓｔｉｎｇフィールドがＨｅｒｏの人物を含む画像がはめ込まれる旨が定められている。また、テンプレート３０３の画像配置枠３３１〜３３４には、それぞれＣａｓｔｉｎｇフィールドがｒｅｌａｔｉｖｅｓの人物を含む画像がはめ込まれる旨が定められている。なお、ｒｅｌａｔｉｖｅｓとは、Ｆａｔｈｅｒ、Ｍｏｔｈｅｒ、Ｂｒｏｔｈｅｒ、及びＳｉｓｔｅｒを含む、家族を示すキャスティング情報の総称である。また、画像配置枠３４２及び３４３には、ＣａｓｔｉｎｇフィールドがＭｏｔｈｅｒの人物を含む画像がはめ込まれる旨が定められている。
【００５３】
なお、特定被写体画像判断部２４２は、ＣａｓｔｉｎｇフィールドがＨｅｒｏである特定被写体情報のＦｉｌｅフィールドで示されるファイル名の画像における、当該特定被写体情報のＰｏｓｉｔｉｏｎフィールドの位置から所定の範囲の画像領域から、主要人物の画像を抽出する。そして、特定被写体画像判断部２４２は、後画像選択部２５０が選択した画像に含まれる被写体と主要人物の画像とのマッチングによって、後画像選択部２５０が選択した画像が当該主要人物の画像と所定の一致度以上の一致度で一致した被写体を含む場合に、当該画像に主要人物が含まれると判断する。同様にして、特定被写体画像判断部２４２は、ＣａｓｔｉｎｇフィールドがＦａｔｈｅｒ又はＭｏｔｈｅｒである特定被写体情報に基づいて、前画像選択部２４０が選択した画像の中から、父親又は母親を含む画像を選択することができる。また、アルバム作成部２９０は、画像格納部２１０が格納している画像の中から、各画像配置枠に定められたＣａｓｔｉｎｇ情報を含むＣａｓｔｉｎｇフィールドを有する人物を含む画像を選択する。
【００５４】
そして、アルバム作成部２９０は、Ｈｅｒｏを含む画像をはめ込む旨が定められている画像配置枠（例えば、３１１、３１２等）に、特定被写体画像判断部２４２が主要人物を含むと判断した画像の中から選択してはめ込む。また、アルバム作成部２９０は、Ｍｏｔｈｅｒを含む画像をはめ込む旨が定められている画像配置枠（例えば、３４２、３４３等）に、特定被写体画像判断部２４２が母親を含むと判断した画像の中から選択してはめ込む。なお、アルバム作成部２９０は、Ｈｅｒｏ、Ｍｏｔｈｅｒの他にも、画像格納部２１０が格納している画像にいずれのＣａｓｔｉｎｇ情報を持つ人物が含まれるかを特定被写体情報に基づいて判断して、各画像配置枠にそれぞれ定められているＣａｓｔｉｎｇ情報に応じて画像を配置することができる。
【００５５】
また、テンプレートには、アルバムのタイトルであるアルバムタイトル及びページのタイトルであるページタイトルを示す文字の配置を含むタイトル情報が定められている。また、タイトル情報には、アルバムタイトル及びページタイトルの内容の一部が予め定められてもよい。例えばテンプレート３０１が示す裏表紙及び表紙のタイトルとして、アルバムタイトルを配置する位置３９１及び３９２が定められている。そして、アルバム作成部２９０は、テンプレート３０１が示す位置に、タイトル決定部２７０が決定した文字列を当てはめることによって、アルバムにタイトルを挿入する。なお、タイトル決定部２７０が決定する動作の詳細については図６に関連して説明する。
【００５６】
また、テンプレートで定められたタイトル情報には、タイトルの少なくとも一部を、被写体特定情報が含むフィールドデータで置換すべき旨を示す文字置換情報が含まれている。例えば、テンプレート３０３、３０４、及び３０５には、ページのタイトルであるページタイトルとしてそれぞれ＜Ｎａｍｅ＞'ｓ  Ｆａｍｉｌｙ、ｒｉｇｈｔ  ａｆｔｅｒ  ＜Ｎａｍｅ＞  ｗａｓ  ｂｏｒｎ、ｒｉｇｈｔ  ｂｅｆｏｒｅ  ＜Ｎａｍｅ＞  ｗａｓ  ｂｏｒｎが定められている。これらのタイトルに含まれるテキスト置換情報＜Ｎａｍｅ＞は、ＣａｓｔｉｎｇフィールドがＨｅｒｏを持つ特定被写体情報のＮａｍｅフィールドのフィールドデータで置換すべき旨を示す。Ｎａｍｅフィールドには、特定被写体情報が示す人物の名前が格納される。そして、アルバム作成部２９０は、ＣａｓｔｉｎｇフィールドがＨｅｒｏである特定被写体情報が含むＮａｍｅフィールドのフィールドデータで、テキスト置換情報＜Ｎａｍｅ＞で示される部分のテキストを置換することによって、各タイトルを生成する。これにより、アルバム作成装置１００は、指定された主要人物の名前に応じたタイトルを柔軟に生成することができる。以上説明したように、アルバム作成装置１００は、ユーザ１９０から指定された特定被写体情報に応じた適切なデザインのアルバムを柔軟に作成することができる。
【００５７】
なお、テンプレート３０２は、主要人物を含む画像のページを作成する旨が定められたテンプレートの一例であり、テンプレート３０３は、家族を含む画像のページを作成する旨が定められたテンプレートの一例である。また、テンプレート３０４は、母親を含む画像を少なくとも含む、家族を含む画像のページを作成する旨が定められたテンプレートの一例であり、テンプレート３０５は、主要人物を含む画像及び母親を含む画像を少なくとも含む、家族を含む画像のページを作成する旨が定められたテンプレートの一例である。なお、テンプレート３０４は、主要人物が誕生する後に撮像された画像を含まないページのテンプレートの一例であり、テンプレート３０５は、主要人物が誕生する前に撮像された画像を含まないページのテンプレートの一例である。この場合、テンプレート格納部２８０は、アルバムのページに配置される画像の撮像時期を示す合成情報をページ毎に含むテンプレートを格納してよい。そして、画像分類部２６０は、テンプレート格納部２８０が格納しているテンプレートに含まれる合成情報に応じて、画像格納部２１０が格納している画像を各ページに分類してよい。
【００５８】
図４は、特定被写体情報取得部２００が特定被写体情報を取得する処理フローの一例を示す。特定被写体情報は、前述のように、アルバムに登場する人物に関連づけられた情報であり、アルバムにおける画像のレイアウト、タイトルの作成等、アルバム作成装置１００がアルバムを作成する作成工程において利用される。特定被写体情報取得部２００は、アルバムに含まれる画像に含まれる人物の役割を示すキャスティング情報をユーザ１９０に入力させて取得する（Ｓ４０２）。例えば、特定被写体情報取得部２００は、前述の「Ｈｅｒｏ」、「Ｆａｔｈｅｒ」、「Ｍｏｔｈｅｒ」、「Ｂｒｏｔｈｅｒ」、「Ｓｉｓｔｅｒ」、「Ｆｒｉｅｎｄ」等を、キャスティング情報としてユーザ１９０に入力させて取得する。
【００５９】
そして、特定被写体情報取得部２００は、画像格納部２１０が格納している複数の画像を表示して、ユーザ１９０に提示する（Ｓ４０４）。そして、特定被写体情報取得部２００は、Ｓ４０２において入力されたキャスティング情報が示す役割を持つ人物を含む画像を、ユーザ１９０に選択させて取得する（Ｓ４０６）。このとき特定被写体情報取得部２００は、例えば選択された画像のファイル名を記憶しておく。そして、Ｓ４０６において選択された画像における当該人物の位置を入力させて取得する（Ｓ４０８）。例えば、特定被写体情報取得部２００は、Ｌｅｆｔ、Ｃｅｎｔｅｒ、Ｒｉｇｈｔ等を示すボタンをユーザ１９０に押下させることによって、人物の位置をユーザ１９０に入力させてよい。そして、特定被写体情報取得部２００は、Ｓ４０２において入力されたキャスティング情報が「Ｈｅｒｏ」であるか否かを判断する（Ｓ４１０）。そして、特定被写体情報取得部２００は、Ｓ４１０においてキャスティング情報が「Ｈｅｒｏ」であると判断された場合には、当該人物の名前、生年月日をユーザ１９０から取得する（Ｓ４１２）。なお、生年月日とは、本実施形態における主要人物の誕生日を示す。
【００６０】
そして、特定被写体情報取得部２００は、Ｓ４０２において入力されたキャスティング情報、Ｓ４０６において選択されたファイルのファイル名、及びＳ４０８において入力された位置、並びに、Ｓ４１２において取得した名前及び生年月日を含む特定被写体情報を生成する（Ｓ４１４）。なお、特定被写体情報取得部２００は、Ｓ４１０において、キャスティング情報がＨｅｒｏではないと判断された場合には、Ｓ４１４に処理を移行し、Ｓ４０２において入力されたキャスティング情報、Ｓ４０６において選択されたファイルのファイル名、及びＳ４０８において入力された位置を含む特定被写体情報を生成する。
【００６１】
そして、特定被写体情報取得部２００は、他の人物の特定被写体情報を入力するか否かをユーザ１９０に提示して、ユーザ１９０からの入力に基づいて、他の人物のキャスティング情報を入力する旨をするか否かを判断する（Ｓ４１６）。Ｓ４１６において他の人物のキャスティング情報を入力する旨を判断した場合には、Ｓ４０２に移行して、他の人物のキャスティング情報を入力させる。特定被写体情報取得部２００は、Ｓ４１６において他の人物のキャスティング情報を入力しない旨を判断した場合には、処理を終了する。
【００６２】
以上説明したように、アルバム作成装置１００は、アルバムに登場させるべき人物とそのアルバムにおける役割をユーザ１９０に指定させることによって、アルバムにおける人物の役割を取得する。このため、アルバム作成装置１００は、アルバムにおける人物の役割に応じて、アルバムにおける画像のレイアウト、タイトル等を適切に決定することができる。
【００６３】
図５は、特定被写体情報の内容の一例を示す。特定被写体情報５０２、５０４、及び５０６は、それぞれアルバムにおける主要人物、主要人物の兄弟、及び主要人物の友人を示す特定被写体情報である。特定被写体情報５０２、５０４、及び５０６は、人物の名前を示すＮａｍｅフィールド、画像のファイル名を示すＦｉｌｅフィールド、画像における人物の位置を示すＰｏｓｉｔｉｏｎフィールド、キャスティング情報を示すＣａｓｔｉｎｇフィールド、生年月日を示すＤａｔｅ  ｏｆ  Ｂｉｒｔｈフィールドを持つ。主要人物の特定被写体情報には名前及び生年月日といった個人的な情報が含まれるが、主要人物以外の人物の特定被写体情報にはそれら個人的な情報が含まれない。したがって、ユーザ１９０は、主要人物以外の人物の個人情報を入力する必要がないので、例えばキオスク端末で特定被写体情報用のデータを入力している時に他人に覗き見られたり、インターネット等の通信回線を通じて特定被写体情報用のデータを入力した場合に通信回線上においてデータが盗み見られたりした場合の損害を低減することができる。また、特定被写体情報取得部２００は、主要人物を示す特定被写体情報については、入力された個人的な情報を暗号化して特定被写体情報を生成してもよい。
【００６４】
図６は、タイトル格納部２７２が格納しているタイトルに用いる文字列の一例をテーブル形式で示す。タイトル格納部２７２は、−１歳〜１歳までの時期、２歳〜５歳までの時期、及び６歳〜９歳までの時期に対応づけて、それぞれ「Ｂｌｏｏｍ」、「Ｈｅｙ！」、「Ｖｉｖｉｄ」、及び「Ｓｅａｓｏｎｓ」を格納する。なお、−１歳〜１歳の時期とは、主要人物の生年月日の１年前の日から１歳の生年月日までの時期を意味する。そして、タイトル決定部２７０は、−１歳〜１歳までの時期に撮像された画像から作成されるアルバムには、タイトル格納部２７２が当該時期に対応づけて格納している「Ｂｌｏｏｍ」の文字列を用いたタイトルを決定する。そして、アルバム作成部２９０は、例えば図３のテンプレート３０１が定めるアルバムタイトルの位置３９１及び３９２に、当該「Ｂｌｏｏｍ」の文字列を挿入する。このように、アルバム作成装置１００は、撮像されたときの主要人物の年齢幅に応じた適切なタイトルが挿入されたアルバムを作成することができる。なお、タイトル決定部２７０は、画像分類部２６０が各ページに分類した画像の撮像時期に対応づけてタイトル格納部２７２が格納している文字列を用いて、各ページのページタイトルを決定してよい。
【００６５】
他にも、タイトル格納部２７２は、人物の数に対応づけて、アルバムに挿入するタイトルに用いる文字列を格納してもよい。例えば、タイトル格納部２７２は、１０人以上の人数に対応づけて、「Ｔｅａｍ」等のタイトルを格納してよい。そして、タイトル決定部２７０は、特定被写体情報が取得した人物の数（役割の数）に対応づけてタイトル格納部２７２が格納している文字列を用いて、アルバムに挿入するタイトルを決定してよい。また、タイトル格納部２７２は、全キャスティング情報の種類の数に対する特定のキャスティング情報の種類の数の割合に対応づけてタイトルに用いる文字列を格納してよい。例えば、タイトル格納部２７２は、全キャスティング情報の種類の数に対する家族を示すキャスティング情報の種類の数の割合である家族割合に対応づけて、タイトルに用いる文字列を格納してもよい。例えば、タイトル格納部２７２は、家族割合７５％〜１００％に対応づけて、「Ｆａｍｉｌｙ」を格納する。また、タイトル格納部２７２は、家族割合０％〜２０％に対応づけて、「Ｇｒｏｕｐ  ＜Ｎａｍｅ＞」を格納する。その他、タイトル格納部２７２は、全キャスティング情報の種類の数に対する友人を示すキャスティング情報の数の割合７５％〜１００％に対応づけて、「＜Ｎａｍｅ＞  ＆  Ｆｒｉｅｎｄｓ」を格納してよい。なお、全キャスティング情報の種類の数に対する、特定のキャスティング情報の種類の比とは、特定被写体情報取得部２００によって入力された特定被写体情報に含まれるキャスティング情報の種類の数に基づいて決定されてよいし、画像格納部２１０に含まれる画像に含まる人物の、キャスティング情報の種類毎の数にカウントした数から決定されてもよい。その他、タイトル格納部２７２は、キャスティング情報に含まれる様々なデータに対応づけて文字列を格納することができる。
【００６６】
以上説明したように、アルバム作成装置１００は、アルバムにおけるキャスティング情報等、特定被写体情報に含まれる様々なに基づいて適切なアルバムタイトル又はページタイトルを挿入することができる。
【００６７】
図７は、特徴色抽出部２３８が特徴色を抽出する抽出方法の一例を示す。特徴色抽出部２３８は、親の画像を含むと特定被写体画像判断部２４２が判断した画像又は主要人物を含むと特定被写体画像判断部２４２が判断した画像において、複数の色領域（色領域Ａ、Ｂ、Ｃ等）のそれぞれに含まれる色を含む領域の面積である色面積を、色領域毎に算出する。なお、ここでいう色領域とは、色空間を複数の空間に分割したときの、それぞれの空間が示す色の範囲を意味する。なお、特徴色抽出部２３８は、画像において、複数の色領域のそれぞれに含まれる色を持つ画素数を、面積を示す指標として色領域毎に算出してよい。
【００６８】
そして、特徴色抽出部２３８は、算出した色面積の、画像の全面積に対する比率である面積比率を、複数の色領域のそれぞれについて算出する。また、特徴色抽出部２３８は、複数の色領域のそれぞれについて、画像に表れることが期待される面積比率を示す面積比率の期待値を予め格納している。面積比率の期待値とは、例えば平均的な画像において含まれる色領域毎の期待値である。例えば、特徴色抽出部２３８は、画像格納部２１０が格納している画像のそれぞれについて面積比率を算出して、算出した面積比率の画像にわたる平均値を、面積比率の期待値として色領域毎に格納してよい。
【００６９】
そして、特徴色抽出部２３８は、面積比率の期待値に対する、算出した面積比率の比である特徴度を色領域毎に算出して、算出した特徴度が最も大きい色領域に含まれる色を、特徴色として抽出する。本図の例では、特徴色抽出部２３８は、色領域Ａ、Ｂ、及びＣの特徴度として、１．２５、１．５、及び４を算出する。このように、特徴色抽出部２３８は、期待値に比べてより大きい面積比率を持つ色領域を特徴色として抽出する。したがって、特徴色抽出部２３８は、画像に含まれる特徴的な色を適切に抽出することができる。なお、特徴色抽出部２３８は、主要人物、主要人物の親を含む画像領域の色から抽出してよいし、主要人物、主要人物の親の周囲の画像領域の色から特徴色を抽出してもよい。
【００７０】
なお、カラーパレット格納部２３２は、人間にとって視覚的に調和のとれた色の組み合わせを示すカラーパレットを、撮像時期に対応づけて格納している。例えば、カラーパレット格納部２３２は、タイトル格納部２７２が撮像時期に対応づけて文字列を格納する格納形式と同様の格納形式でカラーパレットを格納する。そして、カラーパレット選択部２３０は、撮像時期特定部２２２が特定した撮像時期に対応づけてカラーパレット格納部２３２が格納しているカラーパレットが選択する。また、適用色格納部２３６は、カラーパレット格納部２３２が格納しているカラーパレットに含まれる色のそれぞれを、当該色を含む所定の色範囲に対応づけて格納している。そして、使用色選択部２３４は、特徴色抽出部２３８が抽出した特徴色を含む色範囲に対応づけて、カラーパレット選択部２３０が選択したカラーパレットに含まれる色を選択する。そして、アルバム作成部２９０は、カラーパレット選択部２３０が選択した色で、各テンプレートが定めるタイトル、各ページの背景、テンプレートが定める画像枠等を着色する。このため、アルバム作成装置１００は、特徴色に視覚的に近い色を含む、視覚的に調和の取れた組み合わせの色で配色されたアルバムを作成することができる。
【００７１】
図８は、アルバム作成部２９０による画像のトリミング例の一例を示す。画像８０１に主要人物の母親が含まれる旨が特定被写体画像判断部２４２によって判断されると、アルバム作成部２９０は、画像８０１から母親の腹部を含む領域を特定する。例えば、アルバム作成部２９０は、画像８０１における母親の輪郭と、予め定められた頭部及び脚部のパターンとのパターンマッチングによって、母親の頭部及び脚部の位置を特定する。そして、アルバム作成部２９０は、特定した頭部の位置と脚部の位置とを結ぶ線分を所定の割合で分割する点を特定する。そして、アルバム作成部２９０は、特定した点の位置を、母親の腹部の位置として特定する。また、アルバム作成部２９０は、パターンマッチングによって母親の頭部の位置及び頭部から胴体部への向き、並びに当該向きにおける頭部の長さを特定する。そしてアルバム作成部２９０は、頭部の位置から当該向きに、頭部の長さに所定の係数を乗じた長さだけ離れた位置を、母親の腹部の位置として特定する。このようにして、アルバム作成部２９０は、特定した母親の腹部の位置を中心とする所定の範囲を含むトリミング画像８０２を生成する。
【００７２】
なお、アルバム作成部２９０は、母親の領域の重心の位置を中心とするトリミング画像８０３を生成してよい。他にも、アルバム作成部２９０は、母親又は母親の腹部が画像の中心領域に存在する画像を、画像格納部２１０が格納している画像から選択してもよい。
【００７３】
図９は、アルバム作成部２９０によるレイアウト結果９０２、９０４、及び９０６の一例を示す。レイアウト結果９０２は、テンプレート３０３が定める画像配置枠３３１〜３３５にアルバム作成部２９０が画像をはめ込むことによって得られたレイアウト結果の一例を示す。レイアウト結果９０２では、特定被写体画像判断部２４２が主要人物を含むと判断した画像が、画像配置枠３３１にはめ込まれる。アルバム作成部２９０は、Ｆａｍｉｌｙに含まれるＣａｓｔｉｎｇ情報を持つ人物を含む画像を、画像配置枠３３１より小さく、画像配置枠３３１よりページのより周囲の位置に存在する画像配置枠３３２〜３３５にはめ込む。このようにして、アルバム作成部２９０は、主要人物を含む画像を強調したページを作成することができる。
【００７４】
また、アルバム作成部２９０は、主要人物を含む画像から、主要人物が中心に位置するようトリミングしたトリミング画像を生成して、生成したトリミング画像を画像枠３３１に配置してもよい。また、アルバム作成部２９０は、主要人物の数がいずれの主要人物以外の人物の数より多くなるよう、画像配置枠にはめ込む画像を選択してもよい。また、アルバム作成部２９０は、同一ページに含まれる画像配置枠３３１〜３３５に含まれる主要人物の面積が、主要人物以外の人物の面積より大きくなるように、主要人物を含む形でトリミングして、得られたトリミング画像を拡大して主画像の画像配置枠３３１にはめ込んでよい。
【００７５】
レイアウト結果９０４は、テンプレート３０４が定める画像配置枠３４１〜３４３にアルバム作成部２９０が画像をはめ込むことによって得られたレイアウト結果の一例である。ページの中央の画像配置枠３４２には、母親の腹部を中心にトリミングされたトリミング画像８０２がはめ込まれている。レイアウト結果９０６は、テンプレート３０５が定める画像配置枠３５１〜３５３にアルバム作成部２９０が画像をはめ込むことによって得られたレイアウト結果の一例である。ページの中央の画像配置枠３５２には、主要人物を中心にトリミングされたトリミング画像がはめ込まれている。
【００７６】
以上説明したように、アルバム作成装置１００は、特定被写体情報取得部２００が取得した特定被写体情報に含まれる情報を、アルバムタイトル、ページタイトル、ページにおける配色、画像のレイアウトの決定等、アルバムの作成に種々の形で反映させることができる。なお、以上の説明においては、アルバム作成装置１００は、主要人物の誕生日を基準時刻としてアルバムに挿入するタイトル及びトリミングを決定する形態について説明したが、アルバム作成装置１００は、主要人物の誕生日の他に、様々なタイミングを基準時刻とすることができる。例えば、アルバム作成装置１００は、結婚日時、旅行への出発日時、主要人物の入院日時、自動車事故の日時、サッカーにおけるゴール時刻、野球においてホームランが打たれた時刻等、様々なイベントの基準となる基準時刻を取得して、取得した基準時刻に応じてタイトル及びトリミングを決定してよい。例えば、アルバム作成部２９０は、結婚した人物同士を含む画像おいて、当該画像が結婚日時より前に撮像された画像である場合には、結婚した二人のそれぞれが中心に位置するトリミングでトリミングした２つのトリミング画像を生成してよい。また、アルバム作成部２９０は、結婚日時と撮像時刻との時間差に基づいて、「銀婚式」、「金婚式」等の文字を含むタイトルを作成してよい。またアルバム作成部２９０は、当該画像が結婚日時より後に撮像された画像である場合には、結婚した二人の人物が中心となるようトリミングした１つのトリミング画像を生成してよい。また、アルバム作成部２９０は、旅行への出発日時の前及び後において同じ場所を撮像したそれぞれの画像については、互いに類似した構図となるようそれぞれの画像をトリミングしたトリミング画像を生成してよい。また、アルバム作成部２９０は、入院日時の前及び後に撮像された主要人物を含む画像から、入院の原因となった部位をトリミングしたトリミング画像を生成してよい。また、アルバム作成部２９０は、事故を起こした自動車を含む、自動車事故の日時の前及び後の画像から、事故によって損傷した箇所をトリミングしたトリミング画像を生成してよい。また、アルバム作成部２９０は、サッカーにおけるゴール時刻、野球におけるホームラン時刻の前及び後に撮像された画像から、ゴールした人物、ホームランを打った人物の画像をトリミングしたトリミング画像を生成してよい。
【００７７】
なお、アルバム作成装置１００は、上記の基準時刻を、ユーザ１９０からの入力によって取得してよい。例えば、基準時刻取得部２２０は、上記の基準時刻の近傍で撮像された画像をユーザ１９０に指定させ、指定された画像の撮像時刻を基準時刻として取得してよい。
【００７８】
図１０は、本実施形態に係るアルバム作成装置１００のハードウェア構成の一例を示す。アルバム作成装置１００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００７９】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００８０】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラムまたはデータを送受信する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００８１】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、アルバム作成装置１００が起動時に実行するブート・プログラムや、アルバム作成装置１００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００８２】
ＣＰＵ１５０５が実行するプログラムは、フレキシブルディスク１５９０、ＣＤ−ＲＯＭ１５９５、またはＩＣカード等の記録媒体に格納されて利用者によって提供される。記録媒体に格納されたプログラムは圧縮されていても非圧縮であってもよい。プログラムは、記録媒体からハードディスクドライブ１５４０にインストールされ、ＲＡＭ１５２０に読み出されてＣＰＵ１５０５により実行される。
【００８３】
ＣＰＵ１５０５により実行されるプログラムは、アルバム作成装置１００を、画像入力装置１１０及びアルバム製作装置１２０として機能させる。また、当該プログラムは、画像入力装置１１０を特定被写体情報取得部２０００及び画像取得部２０２として機能させ、アルバム製作装置１２０を、特定被写体情報取得部２００、画像格納部２１０、基準時刻取得部２２０、撮像時期特定部２２２、カラーパレット選択部２３０、カラーパレット格納部２３２、使用色選択部２３４、適用色格納部２３６、特徴色抽出部２３８、前画像選択部２４０、特定被写体画像判断部２４２、後画像選択部２５０、画像分類部２６０、タイトル決定部２７０、タイトル格納部２７２、テンプレート格納部２８０、及びアルバム作成部２９０として機能させる。
【００８４】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをアルバム作成装置１００に提供してもよい。
【００８５】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００８６】
【図１】アルバム作成装置１００の利用環境の一例を示す図である。
【図２】アルバム作成装置１００ブロック構成の一例を示す図である。
【図３】テンプレートの一例を示す。
【図４】特定被写体情報取得部２００が特定被写体情報を取得する処理フローの一例を示す図である。
【図５】特定被写体情報の内容の一例を示す図である。
【図６】タイトルに用いる文字列の一例を示す図である。
【図７】特徴色抽出部２３８が特徴色を抽出する抽出方法の一例を示す図である。
【図８】画像のトリミング例の一例を示す図である。
【図９】アルバムのレイアウト結果の一例を示す図である。
【図１０】アルバム作成装置１００のハードウェア構成の一例を示す。
【符号の説明】
【００８７】
１００  アルバム作成装置
１１０  画像入力装置
１２０  アルバム製作装置
１３０  アルバム提供システム
１４０  撮像装置
１５０  通信回線
１６０  記録媒体
１７０  顧客ＤＢ
１８０  アルバム
１９０  ユーザ
１９５  ユーザ
２００  特定被写体情報取得部
２０２  画像取得部
２１０  画像格納部
２２０  基準時刻取得部
２２２  撮像時期特定部
２３０  カラーパレット選択部
２３２  カラーパレット格納部
２３４  使用色選択部
２３６  適用色格納部
２３８  特徴色抽出部
２４０  前画像選択部
２４２  特定被写体画像判断部
２５０  後画像選択部
２６０  画像分類部
２７０  タイトル決定部
２７２  タイトル格納部
２８０  テンプレート格納部
２９０  アルバム作成部
【図１】
0004762762.tif 000002
【図２】
0004762762.tif 000003
【図３】
0004762762.tif 000004
【図４】
0004762762.tif 000005
【図５】
0004762762.tif 000006
【図６】
0004762762.tif 000007
【図７】
0004762762.tif 000008
【図８】
0004762762.tif 000009
【図９】
0004762762.tif 000010
【図１０】
0004762762.tif 000011